(57)【要約】【課題】逆洗に十分量の清浄な逆洗水を供給可能で、かつ省スペース設置可能な水処理装置を提供することを目的とする。【解決手段】物理ろ過により水を浄化する水処理装置１を、井戸または貯水槽から水を吸引して吐出する電動式ポンプ２と、粒状ろ材３を内包したろ過槽４と、粒状ろ材５を内包した逆洗用ろ過槽６と、原水流入配管７を分岐して逆洗用ろ過槽６に接続する逆洗用原水流入配管８と、ろ過槽４と処理水取水口９を接続する処理水管１０と、逆洗用ろ過槽６でろ過された水をろ過槽４底部から流入させる逆洗水管１１と、逆洗水管１１からろ過槽４に流入した逆洗水を排出する逆洗排水口１２とを備える構成とすることで、粒状ろ材３の逆洗時に逆洗用ろ過槽６で適切な清浄度の逆洗水を作製することができ、逆洗用に処理水を貯水しておく必要がなく、逆洗用の処理水貯水タンクが不要となり、装置の省スペース化を実現する水処理装置を得られる。【選択図】図１
2017131835.tif 000002
【特許請求の範囲】
【請求項１】
ろ過により水を浄化する水処理装置であって、
前記水処理装置は、貯水から水を吸引して吐出するための電動式ポンプと、
粒状ろ材を内包したろ過槽と、
粒状ろ材を内包した逆洗用ろ過槽と、
前記電動式ポンプと前記ろ過槽を接続する原水流入配管と、
前記原水流入配管を分岐して前記逆洗用ろ過槽に接続する逆洗用原水流入配管と、
前記ろ過槽でろ過した処理水を取水するための処理水取水口と、
前記ろ過槽と前記処理水取水口を接続する処理水管と、
前記逆洗用ろ過槽でろ過された水を前記ろ過槽の底部から流入させる逆洗水管と、
前記逆洗水管からろ過槽に流入した逆洗水を排出する逆洗排水口と、を備えた水処理装置。
【請求項２】
前記逆洗用ろ過槽は多段式構造であり、
ろ過方向の上流側に逆洗水を作る逆洗水用ろ過部と、
ろ過方向の下流側に処理水を作る処理水用ろ過部と、を有し、
前記ろ過槽の逆洗時には、原水が前記逆洗用原水流入配管から前記逆洗用ろ過槽に流入し、
前記逆洗水用ろ過部でろ過された後、逆洗水として前記逆洗水用ろ過部に接続された前記逆洗水管から前記ろ過槽に流入し、
前記逆洗水用ろ過部でろ過された逆洗水の一部は前記処理水用ろ過部でさらにろ過された後、前記逆洗用ろ過槽から処理水用ろ過部接続管と前記処理水管を通り、
処理水として使用される構成とした請求項１記載の水処理装置。
【請求項３】
前記処理水用ろ過部のろ過面積が前記逆洗水用ろ過部のろ過面積より大きい構成とした請求項２記載の水処理装置。
【請求項４】
前記処理水用ろ過部を複層ろ過とした請求項２記載の水処理装置。
【発明の詳細な説明】
【技術分野】
【０００１】
本発明は、主として一般家庭や小規模施設等に設置し、物理ろ過によって水の浄化を行う小型の水処理装置に関するものである。
【背景技術】
【０００２】
粒状ろ材を用いた水処理装置は、浄水場や工場をはじめとして広く使用されており、一種類のろ材のみを用いる単層ろ過及びろ過砂とアンスラサイト等、比重の異なる複数のろ材を用いる複層ろ過がある。このような水処理装置は主に原水中の濁質成分をはじめとした不純物を除去する目的で使用されるが、一般的なフィルタと同様に不純物を捕捉すると徐々に目詰まりし、圧損上昇や水路の形成による水処理装置後段への不純物の流出など、様々な問題が生じる要因となる。
【０００３】
そこで、一般的な再生手段としてろ過方向と逆の方向に原水を通水し捕捉された不純物を系外へ排出する逆洗浄が利用されているが、原水が濁質成分を多く含むような環境下で使用する場合、逆洗をしても原水中の濁質成分がろ過槽内に残留してしまうため、逆洗効果が最大限得られず逆洗後すぐに目詰まりを生じてしまう。この問題を解決する手段として、従来の水処理装置では処理水貯槽を設置して処理水を貯水しておき、逆洗時は貯水された処理水を使用するという手段がとられている（例えば、特許文献１参照）。
【０００４】
以下、その水処理装置について図４を見ながら説明する。
【０００５】
水処理装置は、貯水槽１０１から原水ポンプ１０２でろ過槽１０３へ原水を送液し、ろ過槽１０３内のろ材１０４でろ過された処理水はろ過水貯槽１０５に貯水され、ろ過水として使用される一方、ろ材１０４を逆洗する時には逆洗ポンプ１０６によりろ過水貯槽１０５からろ過水をろ過槽１０３に送液し、逆洗を行う。
【先行技術文献】
【特許文献】
【０００６】
【特許文献１】特許第５３５１４０６号公報
【発明の概要】
【発明が解決しようとする課題】
【０００７】
しかしながらこのような従来の水処理装置ではろ材の洗浄のために一度に大量の逆洗水を使用するため、大型の逆洗水用タンクが必要となり、ろ過槽貯水槽を大型化することで対応している。しかし、逆洗用途を前提とした大型のろ過槽貯水槽を備えることで水処理装置の占有面積が増大するという課題を有している。そのため設置スペースが確保しにくい一般家庭や小規模施設においては実用的ではない。
【０００８】
そこで本発明は上記従来の課題を解決するものであり、逆洗に十分量の清浄な逆洗水を供給可能で、かつ省スペース設置可能な水処理装置を      提供することを目的とする。
【課題を解決するための手段】
【０００９】
そして、この目的を達成するために、本発明は、物理ろ過により水を浄化する水処理装置であって、前記水処理装置は、井戸または貯水槽から水を吸引して吐出するための電動式ポンプと、粒状ろ材を内包したろ過槽と、粒状ろ材を内包した逆洗用ろ過槽と、前記電動式ポンプと前記ろ過槽を接続する原水流入配管と、前記原水流入配管を分岐して前記逆洗用ろ過槽に接続する逆洗用原水流入配管と、前記ろ過槽でろ過した処理水を取水するための処理水取水口と、前記ろ過槽と前記処理水取水口を接続する処理水管と、前記逆洗用ろ過槽でろ過された水を前記ろ過槽の底部から流入させる逆洗水管と、前記逆洗水管からろ過槽に流入した逆洗水を排出する逆洗排水口とを備えた構成とすることを特徴としたものであり、これにより所期の目的を達成するものである。
【発明の効果】
【００１０】
本発明は、物理ろ過により水を浄化する水処理装置であって、前記水処理装置は、井戸または貯水槽から水を吸引して吐出するための電動式ポンプと、粒状ろ材を内包したろ過槽と、粒状ろ材を内包した逆洗用ろ過槽と、前記電動式ポンプと前記ろ過槽を接続する原水流入配管と、前記原水流入配管を分岐して前記逆洗用ろ過槽に接続する逆洗用原水流入配管と、前記ろ過槽でろ過した処理水を取水するための処理水取水口と、前記ろ過槽と前記処理水取水口を接続する処理水管と、前記逆洗用ろ過槽でろ過された水を前記ろ過槽の底部から流入させる逆洗水管と、前記逆洗水管からろ過槽に流入した逆洗水を排出する逆洗排水口とを備えた構成としたものであり、これにより、ろ過槽内の粒状ろ材を逆洗するのと同時に、逆洗用ろ過槽で適切な清浄度の逆洗水を作製することができ、処理水を貯水する必要がなく、逆洗用処理水貯水タンクの用途にも対応する大型のろ過槽貯水槽が不要となるため、装置の省スペース化を実現するという効果を得ることができる。
【図面の簡単な説明】
【００１１】
【図１】本発明の実施の形態１の水処理装置の構成を示す模式図
【図２】本発明の実施の形態２〜３の水処理装置の構成を示す模式図
【図３】本発明の実施の形態４の水処理装置の構成を示す模式図
【図４】従来の水処理装置の構成を示す模式図
【発明を実施するための形態】
【００１２】
本発明の請求項１記載の水処理装置は、物理ろ過により水を浄化する水処理装置であって、前記水処理装置は、井戸または貯水槽から水を吸引して吐出するための電動式ポンプと、粒状ろ材を内包したろ過槽と、粒状ろ材を内包した逆洗用ろ過槽と、前記電動式ポンプと前記ろ過槽を接続する原水流入配管と、前記原水流入配管を分岐して前記逆洗用ろ過槽に接続する逆洗用原水流入配管と、前記ろ過槽でろ過した処理水を取水するための処理水取水口と、前記ろ過槽と前記処理水取水口を接続する処理水管と、前記逆洗用ろ過槽でろ過された水を前記ろ過槽の底部から流入させる逆洗水管と、前記逆洗水管からろ過槽に流入した逆洗水を排出する逆洗排水口とを備えた構成を有する。これにより、ろ過槽内の粒状ろ材を逆洗するのと同時に、逆洗用ろ過槽で適切な清浄度の逆洗水を作製することができ、処理水を貯水する必要がなく、逆洗用の処理水貯水タンクが不要となるとなるので、装置の省スペース化を実現するという効果を奏する。
【００１３】
また、請求項２記載の水処理装置は、前記逆洗用ろ過槽は多段式構造であり、ろ過方向の上流側に逆洗水を作る逆洗水用ろ過部と、ろ過方向の下流側に処理水を作る処理水用ろ過部とを有し、前記ろ過槽の逆洗時には、原水が前記逆洗用原水流入配管から逆洗用ろ過槽に流入し、前記逆洗用水ろ過部でろ過された後、逆洗水として逆洗水用ろ過部に接続された前記逆洗水管から前記ろ過槽に流入し、前記逆洗用水ろ過部でろ過された逆洗水の一部は処理水用ろ過部でさらにろ過された後、逆洗用ろ過槽から処理水用ろ過部接続管と前記処理水管を通り、処理水として使用されるという構成を有する。これにより、粒状ろ材の逆洗中は逆洗用ろ過槽から逆洗水と同時に処理水を作製することができるので、逆洗をしている間でも処理水を取水することができるという効果を奏する。
【００１４】
また、請求項３記載の水処理装置は、前記処理水用ろ過部のろ過面積が前記逆洗水用ろ過部のろ過面積より大きいという構成を有する。これにより、処理水用ろ過部の線速度及び空間速度を低下させることができるため、逆洗時に得る処理水の水質を上げることができるという効果を奏する。
【００１５】
また、請求項４記載の水処理装置は、前記処理水用ろ過部を複層ろ過とする構成を有する。これにより、逆洗用ろ過槽で処理水を作製する際、粒径の異なるろ材を用いて濁質の捕捉効率を向上し、また、色度、臭気、鉄、マンガン、有機物をはじめとした、その他のろ過対象物に適したろ材を複合的に使用することもできるので、逆洗水の段階では除去しきれていない不純物も処理水では除去することが可能となり、ろ過槽の逆洗中でも処理水として適した水質の水を得ることができる。
【００１６】
以下、本発明の実施の形態について図面を参照しながら説明する。
【００１７】
（実施の形態１）
図１に示すように、水処理装置１は物理ろ過により水を浄化するろ過装置であって、前記水処理装置１は、貯水である井戸または貯水槽から水を吸引して吐出するための電動式ポンプ２と、粒状ろ材３を内包したろ過槽４と、粒状ろ材５を内包した逆洗用ろ過槽６と、前記電動式ポンプ２と前記ろ過槽４を接続する原水流入配管７と、前記原水流入配管７を分岐して前記逆洗用ろ過槽６に接続する逆洗用原水流入配管８を有し、前記ろ過槽４でろ過した処理水を取水するための処理水取水口９と、前記ろ過槽４と前記処理水取水口９を接続する処理水管１０と、前記逆洗用ろ過槽６でろ過された水を前記ろ過槽４の底部から流入させる逆洗水管１１と、前記逆洗水管１１からろ過槽４に流入した逆洗水を排出する逆洗排水口１２とを備えている。原水流入配管７の分岐方向の切替えは三方弁１３により行われる。
【００１８】
以下、図１を参照しながら水処理装置１の浄水時、及び逆洗時の動作について説明する。
【００１９】
図１に示すように、水処理装置１は貯水である井戸または貯水槽から電動式ポンプ２で原水を吸引する。三方弁１３の方向を原水流入配管７とろ過槽４が流通する方向にすると、電動式ポンプ２で吸引された原水は原水流入配管７を通り、ろ過槽４のろ過方向上流から流入し、粒状ろ材３を通過しろ過された後、処理水管１０を通り処理水取水口９へと排出される。
【００２０】
また、前記粒状ろ材３を逆洗する際は、三方弁１３の方向を原水流入配管７とろ過槽４が流通せず、原水流入配管７と逆洗用原水流入配管８を流通する方向にする。貯水である井戸または貯水槽から電動式ポンプ２で吸引された原水は原水流入配管７を通り、三方弁１３を経由して逆洗用原水流入配管８へ流入し、逆洗用ろ過槽６のろ過方向上流から流入し、粒状ろ材５でろ過された後、逆洗水管１１からろ過槽４へ流入し、粒状ろ材３を逆洗して逆洗排水口１２から排出される。
【００２１】
上記のような水処理装置１において、処理水を得るためのろ過槽４に内包されている粒状ろ材３は、水処理装置１の性能を発揮するための最も基本となる部材である。粒状ろ材３は、粒子径約１０マイクロメートル以上の粗大粒子や凝集物を捕捉して除去し、地下水の濁度を低減することを目的としているが、粒状ろ材３に吸着するような表面電位を持つ粒子や、原水中のイオン等の存在状態によっては粒子径約１〜１０マイクロメートルの粒子や色度も除去可能となる。粒状ろ材３には、ろ過砂をはじめ、ペレット状の繊維ろ材等、除去対象物に適したろ材を用いることができる。粒状ろ材３の材質は、例えば、砂、アンスラサイト、ガーネット、セラミックス、粒状活性炭、オキシ水酸化鉄、マンガン砂など、水中で沈降し、圧力で変形しにくい硬度をもつものであればよい。粒子径は、例えば０．３ミリメートルから５．０ミリメートル、均等係数１．２から２．０などのものを用いるとよい。
【００２２】
また、粒状ろ材３は材質によって比重が異なり、例えば砂であればおよそ２．５から２．７グラム毎立方センチメートル、アンスラサイトであれば、１．４から１．８グラム毎立方センチメートル、ガーネットであれば３．８から４．１グラム毎立方センチメートルである。複数の種類のろ材を混合して使用する複層ろ過法は、このような比重の違いを利用し、ろ過を行う層としてサイズの異なる粒子を小さい粒子から順に下から積層する方法である。複層ろ過法では、比重が大きくサイズが小さい粒子と、比重が小さくサイズが大きい粒子を混合して多層構造にするのが一般的である。複層ろ過法は、単一の種類のろ材を用いるのに比べて、単位体積あたりのろ過効率が高く、一方で損失水頭が低く抑えられるなどのメリットがあるため好ましい。粒状ろ材３としては、例えば、ガーネットの０．３ミリメートルと、砂の０．６ミリメートル、アンスラサイトの１．０ミリメートルのものを、２：１：１で混合して使用するが、濁質の粒子特性に応じて混合比率や粒子径を調整することが望ましい。粒状ろ材３の充填量はろ過性能と耐久性、損失水頭などを考慮して決定することが好ましい。粒状ろ材３を増やすと、除去性能や濁質の保持量が増加し、洗浄までの間隔を延ばす事ができて洗浄頻度を減らす事ができる。一方、損失水頭が上昇するため、流量が減少するなどの不具合が生じる場合がある。
【００２３】
また、粒状ろ材５は前述のように粒状ろ材３を逆洗するための逆洗水の清浄度を適切にするために使用される。逆洗水が濁質成分をはじめとする不純物を多く含む場合、逆洗を行ってもそれらの不純物がろ過槽４内に残留してしまうため、粒状ろ材３の逆洗が不足したり、逆洗時間が長くなったりする要因となる。しかし、原水を粒状ろ材３でろ過することで作られる処理水が飲用水や生活水レベルの清浄度を必要とするのに対し、逆洗水は粒状ろ材３の逆洗を適切に行うことができる清浄度を保つことができればよい。すなわち、逆洗水は、ろ過槽４内の物理ろ過の作用により粒状ろ材３に物理的に捕捉された原水中の不純物を排出すればよく、濁質以外の不純物、例えば色度、臭気の原因物質などを浄化しなくても逆洗の効果を得ることができる。
【００２４】
従って、粒状ろ材５には、ろ過砂をはじめ、ペレット状の繊維ろ材等、除去対象物に適したろ材を用いることができ、材質は、例えば、砂、アンスラサイト、ガーネット、セラミックスなど、濁質除去に効果を発揮するろ材であり、水中で沈降し、圧力で変形しにくい硬度をもつものであればよい。言うまでもなく、原水が濁質以外の不純物、例えば色度、臭気の原因物質や、鉄、マンガン等を含有し、それらが逆洗に影響を与えると考えられる場合は、粒状活性炭、オキシ水酸化鉄、マンガン砂など、それら原因物質の除去に対して有用なろ材を使用することもできる。
【００２５】
また、前記粒状ろ材３を内包するろ過槽４及び前記粒状ろ材５を内包する逆洗用ろ過槽６の耐圧は使用する電動式ポンプ２の最高出力揚程以上の能力があることが好ましい。ろ過槽４及び逆洗用ろ過槽６の素材としては、金属、樹脂、あるいはガラス繊維で強化した樹脂などが好適であり、水に接するだけでなく、井戸がある屋外に設置して使用する場合があるため、十分な耐水性、耐候性を有することが要求される。耐水性、耐候性は、材質や肉厚、あるいはコーティングなどの複合素材によって確保することができる。ろ過槽４及び逆洗用ろ過槽６の大きさは、逆洗浄の際に粒状ろ材３または粒状ろ材５が展開するスペースを考慮して、内部に入れる粒状ろ材３及び粒状ろ材５の総量の約１．５から２．０倍程度の容積を確保できることが好ましい。また、形状は、圧力に対する耐久性が高い円筒型や球型、楕円球型などが好ましいが、容器を肉厚などで強化して耐久性が確保できれば直方体や立方体などの角型容器を使用することもできる。
【００２６】
原水流入配管７、逆洗用原水流入配管８、処理水管１０、及び逆洗水管１１は、十分な耐水性、耐候性を有するものが良く、例えば樹脂、金属などの材質であり、設置や施工性の観点から直管であることが好ましい。
【００２７】
また、粒状ろ材５は粒状ろ材３の逆洗時のみ使用するため、頻度は高くないものの、粒状ろ材３と同様に逆洗を行う必要がある。そのため、図１に示すように、粒状ろ材３の処理水で粒状ろ材５を逆洗できるように逆洗配管１１を接続した構成とすれば粒状ろ材５も清浄な水で逆洗が可能となるため、好ましい。
【００２８】
粒状ろ材５の逆洗を行う場合は、浄水を得る際と同様に、三方弁１３の方向を原水流入配管７とろ過槽４が流通する方向に切り替え、逆洗排水口１２を閉じ、処理水取水口９を閉じ、逆洗用ろ過槽６に接続されている逆洗排水口１４を開放すればよい。その状態で電動式ポンプ２を駆動すると、ろ過槽４により浄化された処理水により、粒状ろ材５を逆洗することができる。
【００２９】
なお、粒状ろ材５の逆洗は、目詰まりによる逆洗用ろ過槽６前後での圧力損失の上昇や、ろ過槽４への不純物の流出が見られる場合に行う。これらは、機械的には例えば逆洗用ろ過槽６の前後に接続された配管の途中に圧力計を設置したり、逆洗水管１１に不純物の測定が可能な濁度計等の測定器を設置したりすることで測定が可能であるが、そのような測定器の設置が難しい場合は、簡易的な判断基準として、前記逆洗排水口１２から排水される逆洗水の流量が低下したり、粒状ろ材３の逆洗後から次の逆洗までのろ過継続時間が短くなったりした場合等を粒状ろ材５の逆洗タイミングと設定し、逆洗を行うことができる。
【００３０】
上記の構成により、粒状ろ材３用の逆洗水を貯水せずとも、逆洗に適した清浄度の逆洗水を逆洗しながら作製することができ、逆洗用の処理水貯水タンクが不要となり、水処理装置１の省スペース化を実現することができる。
【００３１】
（実施の形態２）
本実施の形態について図２を用いて説明する。実施の形態１と同一の構成要件については同一の符号を付し、その詳細な説明は省略する。
【００３２】
前記逆洗用ろ過槽６については、例えば、本実施の形態のようにすることもできる。すなわち、図２に示すように、前記逆洗用ろ過槽６は多段式構造であり、ろ過方向の上流側に逆洗水を作る逆洗水用ろ過部１５と、ろ過方向の下流側に処理水を作る処理水用ろ過部１６とを有している。
【００３３】
ろ過槽４の逆洗時には、三方弁１３の方向を原水流入配管７とろ過槽４が流通せず、原水流入配管７と逆洗用原水流入配管８を流通する方向にする。三方弁１８の流通方向は逆洗水用ろ過部１５とろ過槽４が流通する方向にする。
【００３４】
その状態で電動式ポンプ２を駆動すると、貯水からの原水が前記逆洗用原水流入配管８から逆洗用ろ過槽６に流入し、前記逆洗水用ろ過部１５でろ過された後、逆洗水として逆洗水用ろ過部１５に接続された前記逆洗水管１１から前記ろ過槽４に流入し粒状ろ材３の逆洗をおこなう。逆洗水用ろ過部１５で得られた逆洗水の一部は処理水用ろ過部１６でさらにろ過された後、処理水用ろ過部接続管１７と前記処理水管１０を通り、処理水として使用することができる。
【００３５】
本実施の形態においても、実施の形態１と同様、粒状ろ材５は粒状ろ材３の逆洗時のみ使用する。そのため頻度は高くないものの、逆洗を行う必要があり、図２に示すように、粒状ろ材３の処理水で粒状ろ材５を逆洗できるように処理水用ろ過部接続管１７を接続した構成とすれば粒状ろ材５も清浄な水で逆洗が可能となるため、好ましい。
【００３６】
逆洗水用ろ過部１５と処理水用ろ過部１６のそれぞれに内包された粒状ろ材５を逆洗するためには、浄水を得る際と同様に、三方弁１３の方向を原水流入配管７とろ過槽４が流通する方向に切り替え、三方弁１８の流通方向をろ過槽４と処理水管１０が流通する方向に切り替え、逆洗排水口１２を閉じ、処理水取水口９を閉じ、逆洗用ろ過槽６に接続されている逆洗排水口１４を開放すればよい。その状態で電動式ポンプ２を駆動すると、ろ過槽４により浄化された処理水により、逆洗水用ろ過部１５と処理水用ろ過部１６のそれぞれに内包された粒状ろ材５を逆洗することができる。
【００３７】
また、前記逆洗水用ろ過部１５と前記処理水用ろ過部１６とは、水は通水させるが粒状ろ材５は通さない孔径の通水孔を備えた通水板で仕切られている。逆洗水用ろ過部１５と処理水用ろ過部１６が、それぞれが内包する粒状ろ材５の総量の約１．５から２．０倍程度の容積を確保できる構成としても良い。このような構成とすれば、逆洗水用ろ過部１５と処理水用ろ過部１６のそれぞれに内包された粒状ろ材５の逆洗時に粒状ろ材５を展開する空間が、逆洗水用ろ過部１５と処理水用ろ過部１６の内部に確保できるので、逆洗用ろ過槽６内部の逆洗を的確に行うことができるため好ましい。
【００３８】
従来の装置では逆洗を行っている間は処理水を得ることができなかったが、上記の構成とすることにより粒状ろ材３の逆洗中は逆洗用ろ過槽６から逆洗水と同時に処理水を作製することができるので、逆洗をしている間でも処理水を取水することができる。
【００３９】
また、前記逆洗用ろ過槽６については、例えば、本実施の形態のようにすることもできる。すなわち、図２に示すように、前記処理水用ろ過部１６のろ過面積が前記逆洗水用ろ過部１５のろ過面積より大きい構成とする。これにより、逆洗水用ろ過部１５では逆洗水に適した水を大流量で作製できる一方、処理水用ろ過部１６ではろ過の線速度及び空間速度を低下させることができるため、より清澄なろ過が可能となり、処理水に適した水を作成することができる。
【００４０】
（実施の形態３）
本実施の形態について図３を用いて説明する。実施の形態２と同一の構成要件については同一の符号を付し、その詳細な説明は省略する。図３に示すように、前記処理水用ろ過部１６については、粒状ろ材５ａと粒状ろ材５ｂを有する複層ろ過とすることもできる。
【００４１】
粒状ろ材５ａとしては、例えば、ろ過砂をはじめ、ペレット状の繊維ろ材等、除去対象物に適したろ材を用いることができる。材質は、濁質を除去したいのであれば、例えば、砂、アンスラサイト、ガーネット、セラミックスなどの濁質除去に効果を発揮するろ材が適用される。濁質以外の不純物、例えば色度、臭気の原因物質、鉄、マンガン等の除去が必要であれば、粒状ろ材５ｂとして粒状活性炭、オキシ水酸化鉄、マンガン砂など、それら原因物質の除去に対して有用なろ材を使用することも可能である。複層ろ過では、これらのろ材を比重の違いを利用して積層させるため、前述のように、例えばガーネットの０．３ミリメートル、砂の０．６ミリメートル、アンスラサイトの１．０ミリメートルのものを、２：１：１で混合する等、比重の異なるろ材を使用する。
【００４２】
前記逆洗水用ろ過部１５では逆洗水として適した水を作製できればよいため、処理水用ろ過部１６でも同様の構成を採用した時、原水が濁質成分を多量に含有していたり、色度、臭気の原因物質、鉄、マンガン等を含有している場合はそれらを除去できず、処理水中に流出してしまう可能性がある。しかし上記のような構成とすれば、逆洗水の段階では除去しきれていない不純物も処理水の段階では除去されるため、逆洗時でも処理水として適した水質の水を得ることができる。
【００４３】
また、前記処理水用ろ過部１６を前記逆洗水用ろ過部１５のろ過方向下流側に設置することの利点として、逆洗水用ろ過部１５がプレフィルターの役割を果たすため、処理水用ろ過部１６ではある程度粒径の小さい濁質成分やその他の不純物を除去できれば良いということが挙げられる。そのため、例えば逆洗水用ろ過部１５のろ材として０．６ミリメートルのろ過砂を使用した場合、処理水用ろ過部１６では０．６ミリメートルのろ過砂と０．３ミリメートルのガーネットを１：２で混合する等、より細かい濁質除去に特化した構成とすることもできる。
【産業上の利用可能性】
【００４４】
本発明にかかる     水処理装置は、逆洗に十分量の清浄な逆洗水を供給可能で、従来品と比較し省スペース設置可能な水処理装置であるため、井戸水や貯留水の浄化に使用される家庭用小型水処理装置等として有用である。
【符号の説明】
【００４５】
１    水処理装置
２    電動式ポンプ
３    粒状ろ材
４    ろ過槽
５    粒状ろ材
５ａ    粒状ろ材
５ｂ    粒状ろ材
６    逆洗用ろ過槽
７    原水流入配管
８    逆洗用原水流入配管
９    処理水取水口
１０    処理水管
１１    逆洗水管
１２    逆洗排水口
１３    三方弁
１４    逆洗排水口
１５    逆洗水用ろ過部
１６    処理水用ろ過部
１７    処理水用ろ過部接続管
１８    三方弁
【図１】
2017131835.tif 000003
【図２】
2017131835.tif 000004
【図３】
2017131835.tif 000005
【図４】
2017131835.tif 000006